(57)【要約】【課題】駆動ユニットの大型化を招くことなく、駆動ユニットの被水を抑制することができる洗浄水タンク装置を提供する。【解決手段】実施形態に係る洗浄水タンク装置は、洗浄水を貯留するタンクと、タンクの排水口に設けられる排水弁を開閉する排水弁装置と、オーバーフロー管と、駆動ユニットと、固定部とを備える。オーバーフロー管は、タンク内において排水弁装置の側方に設けられるとともに、上下方向に沿って延設されて満水水位を超えた洗浄水を上端側に形成された開口部へ溢水させて便器へ排出する。駆動ユニットは、排水弁装置を駆動する。固定部は、駆動ユニットを、オーバーフロー管の開口部より上方に位置するようにオーバーフロー管に固定する。また、固定部は、駆動ユニットが取り付けられる本体部と、本体部を支持するとともに、筒状に形成されてオーバーフロー管に嵌り合う筒部とを備える。【選択図】図２
2019218760.tif 000002
【特許請求の範囲】
【請求項１】
洗浄水を貯留するタンクと、
前記タンクの排水口に設けられる排水弁を開閉する排水弁装置と、
前記タンク内において前記排水弁装置の側方に設けられるとともに、上下方向に沿って延設されて満水水位を超えた洗浄水を上端側に形成された開口部へ溢水させて便器へ排出するオーバーフロー管と、
前記排水弁装置を駆動する駆動ユニットと、
前記駆動ユニットを、前記オーバーフロー管の前記開口部より上方に位置するように前記オーバーフロー管に固定する固定部と
を備え、
前記固定部は、
前記駆動ユニットが取り付けられる本体部と、
前記本体部を支持するとともに、筒状に形成されて前記オーバーフロー管に嵌り合う筒部と
を備えることを特徴とする洗浄水タンク装置。
【請求項２】
前記駆動ユニットは、
前記排水弁装置の前記排水弁に接続される操作部
を備え、
前記固定部は、
前記操作部の少なくとも一部が前記排水弁装置を上下方向に投影した投影面内に位置するように、前記駆動ユニットを固定すること
を特徴とする請求項１に記載の洗浄水タンク装置。
【請求項３】
前記固定部は、
前記オーバーフロー管の上端部に係止する係止部
を備えることを特徴とする請求項１または２に記載の洗浄水タンク装置。
【請求項４】
前記筒部の周縁部および前記オーバーフロー管の周縁部のうちの一方には、凸部が形成され、
前記筒部の前記周縁部および前記オーバーフロー管の前記周縁部のうちの他方には、前記凸部に嵌合される凹部が形成されること
を特徴とする請求項１〜３のいずれか一つに記載の洗浄水タンク装置。
【請求項５】
前記凹部および前記凸部は、
上下方向に沿って延在するように形成されること
を特徴とする請求項４に記載の洗浄水タンク装置。
【請求項６】
一つの前記凸部に対応する前記凹部が複数形成されること
を特徴とする請求項４または５に記載の洗浄水タンク装置。
【請求項７】
前記筒部は、
前記オーバーフロー管の上端部を露出させるように形成されること
を特徴とする請求項１〜６のいずれか一つに記載の洗浄水タンク装置。
【請求項８】
前記固定部は、
前記筒部と前記本体部とを連結するリブ部
を備えることを特徴とする請求項１〜７のいずれか一つに記載の洗浄水タンク装置。
【発明の詳細な説明】
【技術分野】
【０００１】
開示の実施形態は、洗浄水タンク装置に関する。
【背景技術】
【０００２】
従来、水洗大便器に使用される洗浄水を貯える洗浄水タンク装置が知られている（例えば特許文献１参照）。上記した洗浄水タンク装置にあっては、モータなどの電動駆動部を含む駆動ユニットを備え、かかる電動駆動部によってタンクの排水弁装置を動作させるように構成される。なお、従来技術においては、駆動ユニットがタンクの外部に配置される。
【先行技術文献】
【特許文献】
【０００３】
【特許文献１】特開２０１６−０５６５５４号公報
【発明の概要】
【発明が解決しようとする課題】
【０００４】
しかしながら、従来技術にあっては、駆動ユニットがタンクの外部に配置されるため、例えば、洗浄水の被水を抑制することができるが、駆動ユニットと排水弁装置とが比較的離れて位置されることとなる。従って、例えば、駆動ユニットの電動駆動部にあっては、排水弁装置の排水弁を比較的大きい力で引き上げる必要が生じ、電動駆動部を含む駆動ユニットの大型化を招くおそれがあった。
【０００５】
実施形態の一態様は、駆動ユニットの大型化を招くことなく、駆動ユニットの被水を抑制することができる洗浄水タンク装置を提供することを目的とする。
【課題を解決するための手段】
【０００６】
実施形態の一態様に係る洗浄水タンク装置は、洗浄水を貯留するタンクと、前記タンクの排水口に設けられる排水弁を開閉する排水弁装置と、前記タンク内において前記排水弁装置の側方に設けられるとともに、上下方向に沿って延設されて満水水位を超えた洗浄水を上端側に形成された開口部へ溢水させて便器へ排出するオーバーフロー管と、前記排水弁装置を駆動する駆動ユニットと、前記駆動ユニットを、前記オーバーフロー管の前記開口部より上方に位置するように前記オーバーフロー管に固定する固定部とを備え、前記固定部は、前記駆動ユニットが取り付けられる本体部と、前記本体部を支持するとともに、筒状に形成されて前記オーバーフロー管に嵌り合う筒部とを備えることを特徴とする。
【０００７】
これにより、駆動ユニットの大型化を招くことなく、駆動ユニットの被水を抑制することができる。すなわち、オーバーフロー管は排水弁装置の側方に設けられ、かかるオーバーフロー管に駆動ユニットが固定されることから、駆動ユニットを排水弁装置に近づけて配置することができる。そのため、例えば、駆動ユニットの電動駆動部にあっては、駆動ユニットがタンクの外部に配置される場合に比べ、排水弁装置の排水弁を小さい力で引き上げることが可能となるため、駆動ユニットの大型化を招くことはない。
【０００８】
また、駆動ユニットは、固定部によって、オーバーフロー管の開口部より上方に位置さることから、タンク内の洗浄水は駆動ユニットに飛散しにくく、よって駆動ユニットの被水を抑制することができる。
【０００９】
また、筒部は、オーバーフロー管に嵌り合うように構成されるため、駆動ユニットを所期の位置に位置決めしつつ固定することができる。また、筒部とオーバーフロー管とが嵌り合うことで、筒部は、オーバーフロー管に対して回転しにくく、よって駆動ユニットが排水弁装置に対して所期の位置から回転して向きが変わってしまうことによる、排水能力の低下を抑制することができる。
【００１０】
また、筒部は、オーバーフロー管に対し、上方から取り付けられることが可能となるため、駆動ユニットを容易に固定でき、駆動ユニットの組み立て性を向上させることができる。
【００１１】
また、前記駆動ユニットは、前記排水弁装置の前記排水弁に接続される操作部を備え、前記固定部は、前記操作部の少なくとも一部が前記排水弁装置を上下方向に投影した投影面内に位置するように、前記駆動ユニットを固定することを特徴とする。
【００１２】
これにより、例えば、操作部と排水弁装置とを接続するワイヤの長さを短くすることが可能となり、よって操作部の排水弁装置に対する操作性を向上させることができる。
【００１３】
また、前記固定部は、前記オーバーフロー管の上端部に係止する係止部を備えることを特徴とする。
【００１４】
これにより、固定部は下方への移動が係止部によって規制され、よって固定部によって固定される駆動ユニットが下方へ脱落することを防止することができる。
【００１５】
また、前記筒部の周縁部および前記オーバーフロー管の周縁部のうちの一方には、凸部が形成され、前記筒部の前記周縁部および前記オーバーフロー管の前記周縁部のうちの他方には、前記凸部に嵌合される凹部が形成されることを特徴とする。
【００１６】
これにより、筒部をオーバーフロー管に対して回転しにくくすることができる。そのため、例えば、駆動ユニットが排水弁装置に対して所期の位置から回転して向きが変わってしまうことによる、排水能力の低下を抑制することができる。
【００１７】
また、前記凹部および前記凸部は、上下方向に沿って延在するように形成されることを特徴とする。
【００１８】
これにより、凹部と凸部との当接面積を増加させることが可能となる。そのため、例えば、筒部がオーバーフロー管に対して回転することをより一層抑制することができる。
【００１９】
また、一つの前記凸部に対応する前記凹部が複数形成されることを特徴とする。
【００２０】
これにより、例えば、凸部が形成される筒部にあっては、オーバーフロー管に取り付けられる際、嵌合させる凹部を変えることで、筒部の向きを変えることが可能となる。これにより、例えば、筒部を含む固定部によって固定される駆動ユニットの向きを、タンクの仕様などに応じて、適宜に変更することが可能となり、洗浄水タンク装置の設計自由度を向上させることができる。
【００２１】
また、前記筒部は、前記オーバーフロー管の上端部を露出させるように形成されることを特徴とする。
【００２２】
これにより、オーバーフロー管の排水機能を低下させることを抑制することができる。すなわち、筒部は、オーバーフロー管の上端部を露出させるように形成されることから、筒部がオーバーフロー管への洗浄水の流入を妨げることはなく、よってオーバーフロー管の排水機能を低下させることを抑制することができる。
【００２３】
また、前記固定部は、前記筒部と前記本体部とを連結するリブ部を備えることを特徴とする。
【００２４】
これにより、例えば、比較的重い駆動ユニットが本体部に固定される場合であっても、本体部をリブ部によって支持することが可能となり、よって例えば固定部が傾斜したり、変形したりすることを抑制することができる。
【発明の効果】
【００２５】
実施形態の一態様によれば、駆動ユニットの大型化を招くことなく、駆動ユニットの被水を抑制することができる。
【図面の簡単な説明】
【００２６】
【図１】図１は、実施形態に係る洗浄水タンク装置を備えたトイレ装置を示す斜視図である。
【図２】図２は、図１のII−II線断面図である。
【図３】図３は、洗浄水タンク装置の平面図である。
【図４】図４は、固定部の斜視図である。
【図５】図５は、オーバーフロー管の上端部付近を示す拡大斜視図である。
【図６】図６は、オーバーフロー管の上端部付近を示す拡大側面図である。
【図７】図７は、図２のVII−VII線断面図である。
【図８】図８は、図７のVIII−VIII線断面図である。
【図９】図９は、変形例に係る筒部とオーバーフロー管とを示す断面図である。
【発明を実施するための形態】
【００２７】
以下、添付図面を参照して、本願の開示する洗浄水タンク装置の実施形態を詳細に説明する。なお、以下に示す実施形態によりこの発明が限定されるものではない。
【００２８】
＜１．洗浄水タンク装置を備えたトイレ装置＞
図１は、実施形態に係る洗浄水タンク装置を備えたトイレ装置を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。また、図１および図２以降に示す図は、いずれも模式図である。
【００２９】
図１に示すように、トイレ装置１は、便器本体（以下「便器」と記載する場合がある）２と、洗浄水タンク装置１０とを備える。便器２は、ボウル部３と、リム部４と、排水トラップ管路５と、導水路６とを備える。
【００３０】
ボウル部３は、汚物を受けることが可能なボウル状に形成される。リム部４は、ボウル部３の上縁に形成される。かかるリム部４の上部には、たとえば便座（図示省略）が設けられる。
【００３１】
また、リム部４には、導水路６が接続される。導水路６は、第１吐水口６ａと、第２吐水口６ｂとを備える。導水路６には、便器洗浄が行われる場合に、洗浄水タンク装置１０の排水口１５から排出される洗浄水が流入する。そして、導水路６の洗浄水は、第１、第２吐水口６ａ，６ｂを介してボウル部３へ吐水され、旋回しながらボウル部３を洗浄する。なお、導水路６の吐水口の数は２つに限定されるものではなく、１つまたは３つ以上であってもよい。
【００３２】
排水トラップ管路５は、ボウル部３に接続される。詳しくは、排水トラップ管路５は、入口部５ａと、溜水部５ｂとを備える。入口部５ａは、ボウル部３の底部と連続するように設けられ、ボウル部３からの洗浄水を排水トラップ管路５へ流入させる。
【００３３】
溜水部５ｂは、入口部５ａの下流側に位置されるとともに、所定量の洗浄水が溜まる形状とされる。溜水部５ｂの下流側は、図示しない排水路に接続され、よって溜水部５ｂに流れ込む洗浄水は排水路から排出される。このように、排水トラップ管路５は、溜水部５ｂに洗浄水が溜まり、封水として機能することで、排水管からの臭気等がボウル部３側へ逆流することを防止する。
【００３４】
なお、便器２は、サイホン作用を利用してボウル部３内の汚物を引き込んで排水トラップ管路５から排出する、いわゆるサイホン式である。そのため、便器２においては、便器洗浄が行われる際、サイホン作用により、汚物とともに洗浄水も排水トラップ管路５に引き込まれるため、溜水部５ｂの洗浄水（以下「溜水」と記載する場合がある）の水位は低下することとなる。
【００３５】
溜水部５ｂにおいて、溜水の水位が所定水位より低下すると、溜水は封水として機能せず、臭気等がボウル部３側へ逆流するおそれがある。このため、洗浄水タンク装置１０は、便器洗浄で汚物の排出を行った後、溜水の水位を初期水位に戻すために、ボウル部３に対して洗浄水の補給を行うが、これについては後述する。
【００３６】
洗浄水タンク装置１０は、便器２の後方（Ｙ軸負方向）上部に設置される。洗浄水タンク装置１０は、洗浄水を貯留するタンク１１を備える。かかるタンク１１は、タンク本体部１２と、蓋部１３とを備える。タンク本体部１２は、上面が開口された直方体状の容器であり、便器２のボウル部３を洗浄する洗浄水を貯える。タンク本体部１２の底面には、上記した排水口１５が設けられる。なお、タンク本体部１２の内部の構成については、図２を用いて後述する。また、図１に示すタンク本体部１２の形状やタンク本体部１２の便器２に対する設置位置などは、あくまでも例示であって限定されるものではない。
【００３７】
蓋部１３は、タンク本体部１２の上面を全体的に覆うように配置され、タンク本体部１２の上部に着脱自在に取り付けられる。
【００３８】
また、トイレ装置１が設置されるトイレ室の適宜位置には、操作リモコン２０が設けられる。かかる操作リモコン２０は、便器洗浄を開始する開始指示などが使用者によって入力される操作ボタン２１を備える。操作リモコン２０は、使用者から操作ボタン２１を介して入力された開始指示を示す信号を図示しない制御装置へ出力する。なお、図示は省略するが、人感センサが設けられ、かかる人感センサの出力に基づいて開始指示を示す信号を出力してもよい。
【００３９】
＜２．洗浄水タンク装置の全体構成＞
図２は、図１のII−II線断面図である。また、図３は、洗浄水タンク装置１０の平面図である。なお、図３においては、理解の便宜のため、蓋部１３を取り外した洗浄水タンク装置１０を示している。
【００４０】
図２および図３に示すように、洗浄水タンク装置１０は、給水装置３０と、排水弁装置４０と、駆動ユニット（電動駆動ユニット）６０と、固定部７０と、オーバーフロー管１００とを備え、これらはタンク本体部１２内に配置されて収容される。
【００４１】
給水装置３０は、タンク本体部１２内へ洗浄水を供給する。たとえば、給水装置３０は、フロート３１を備え、かかるフロート３１の上下の変動に応じてタンク本体部１２内へ洗浄水を供給したり、供給を停止したりする。
【００４２】
給水装置３０はさらに、洗浄水補給用の給水ホース３２を備える。給水ホース３２は、オーバーフロー管１００の上方に位置される補給部７５（後述）に接続される。これにより、給水装置３０は、便器洗浄後に溜水部５ｂにおける溜水の水位を初期水位に戻すために、給水ホース３２および補給部７５を介してオーバーフロー管１００に対して洗浄水を供給し、便器２のボウル部３へ洗浄水を補給することができる。
【００４３】
排水弁装置４０は、排水弁４１と、ワイヤ４２とを備え、排水弁４１を開閉するように構成される。具体的には、排水弁４１は、排水口１５に設けられるとともに、上下動可能に構成される。そして、排水弁４１は、かかる上下動により排水口１５を開閉する。ワイヤ４２は、一端側が排水弁４１に接続される。そして、ワイヤ４２の他端側は、駆動ユニット６０に接続される。
【００４４】
駆動ユニット６０は、駆動モータ６１と、操作部６２とを備え、排水弁装置４０を駆動する。駆動モータ６１は、排水弁装置４０を電動駆動によって動作させる電動モータである。なお、駆動モータ６１は、電動駆動部の一例である。操作部６２は、駆動モータ６１に接続され、駆動モータ６１の駆動によって回転動作する。上記したワイヤ４２の他端側は、かかる操作部６２に接続される。すなわち、操作部６２は、ワイヤ４２を介して排水弁装置４０の排水弁４１に接続される。
【００４５】
そして、操作リモコン２０（図１参照）から便器洗浄を開始する開始指示を示す信号が制御装置へ出力されると、制御装置は駆動ユニット６０の駆動モータ６１を駆動し、操作部６２を回転させてワイヤ４２を巻き取る。これにより、排水弁４１はワイヤ４２に引っ張られて上昇し、排水口１５が開放される。排水口１５の開放により、タンク本体部１２内の洗浄水が便器２（図１参照）へ排水される、すなわち、便器洗浄が行われる。なお、上記した制御装置は駆動ユニット６０が備えてもよい。
【００４６】
なお、排水弁装置４０には、上記した駆動ユニット６０に加え、手動操作により、排水弁４１の開閉を行う手動駆動ユニットが接続されてもよい。
【００４７】
固定部７０は、駆動ユニット６０をオーバーフロー管１００に固定する固定部材である。なお、固定部７０の詳しい構成については、図４以降を用いて後述する。
【００４８】
オーバーフロー管１００は、タンク１１内において排水弁装置４０の側方に設けられる、言い換えると、排水弁装置４０に隣接して設けられる。また、オーバーフロー管１００は、タンク１１内に上下方向に沿って延設される。そして、オーバーフロー管１００は、上端側に開口部１０１（図２参照）が形成される一方、下端側は排水口１５と連通される。従って、オーバーフロー管１００は、タンク本体部１２内において満水水位を超えた洗浄水を開口部１０１へ溢水させ、排水口１５を介して便器２へ排出する。
【００４９】
＜３．固定部の構成＞
次に、上記した固定部７０について図４を参照して説明する。図４は、固定部７０の斜視図である。図４に示すように、固定部７０は、本体部７１と、筒部７２と、凸部７３と、係止部７４と、補給部７５と、リブ部７６とを備える。なお、図４においては、理解の便宜のため、駆動ユニット６０、オーバーフロー管１００および給水ホース３２を想像線で示している。
【００５０】
＜３．１．本体部＞
本体部７１は、駆動ユニット６０が取り付けられる。例えば、本体部７１は、底面部７１ａと、第１側壁部７１ｂと、第２側壁部７１ｃとを備える。底面部７１ａは、例えば平板状に形成され、駆動ユニット６０を載置可能な形状とされる。第１、第２側壁部７１ｂ，７１ｃは、例えば、底面部７１ａの端部から上方へ向けて立設される。また、第１、第２側壁部７１ｂ，７１ｃは、連続するように形成される。
【００５１】
上記のように構成される本体部７１にあっては、駆動ユニット６０を底面部７１ａに載置しつつ、駆動ユニット６０の側面を第１、第２側壁部７１ｂ，７１ｃで囲むようにして、駆動ユニット６０が取り付けられる。
【００５２】
＜３．２．筒部＞
筒部７２は、本体部７１の下方に位置し、本体部７１を支持する。また、筒部７２は、筒状に形成される。なお、筒部７２にあっては、内径がオーバーフロー管１００の外径より大きくなるように形成される。
【００５３】
そして、筒部７２は、例えば、オーバーフロー管１００に向けて、矢印Ａで示すように下方へ移動させられて、オーバーフロー管１００に嵌り合うように構成される。また、筒部７２がオーバーフロー管１００に嵌り合った状態において、駆動ユニット６０は、図２に示すように、オーバーフロー管１００の開口部１０１より上方に位置されてオーバーフロー管１００に固定される。
【００５４】
オーバーフロー管１００は、上記したように排水弁装置４０の側方に設けられ、かかるオーバーフロー管１００に駆動ユニット６０が固定されることから、駆動ユニット６０を排水弁装置４０に可能な限り近づけて配置することができる。そのため、例えば、駆動ユニット６０の駆動モータ６１にあっては、駆動ユニット６０がタンク１１の外部に配置される場合に比べ、排水弁装置４０の排水弁４１を小さい力で引き上げることが可能となるため、駆動モータ６１を含む駆動ユニット６０の大型化を招くことはない。
【００５５】
また、駆動ユニット６０は、固定部７０によって、オーバーフロー管１００の開口部１０１より上方に位置されてオーバーフロー管１００に固定されることから、タンク１１内の洗浄水は駆動ユニット６０に飛散しにくく、よって駆動ユニット６０の被水を抑制することができる。
【００５６】
また、筒部７２は、オーバーフロー管１００に嵌り合うように構成されるため、駆動ユニット６０を所期の位置に位置決めしつつ固定することができる。また、筒部７２とオーバーフロー管１００とが嵌り合うことで、筒部７２は、オーバーフロー管１００に対して回転しにくく、よって駆動ユニット６０が排水弁装置４０に対して所期の位置から回転して向きが変わってしまうことによる、排水能力の低下を抑制することができる。
【００５７】
また、筒部７２は、オーバーフロー管１００に対し、タンク１１内において比較的スペースのあるオーバーフロー管１００の上方から取り付けられることから、駆動ユニット６０を容易に固定でき、駆動ユニット６０の組み立て性を向上させることができる。
【００５８】
また、例えば仮に、駆動ユニット６０が取り付けられたクリップでオーバーフロー管１００を挟んでネジ止めするような構成の場合、経年に伴ってネジの締結力が低下し、駆動ユニット６０が所期の位置から回転して排水能力の低下を招くおそれがある。これに対し、本実施形態に係る固定部７０にあっては、筒部７２がオーバーフロー管１００に嵌り合うように構成されるため、駆動ユニット６０が経年に伴って所期の位置から回転しにくく、排水能力の低下を抑制することができる。
【００５９】
図５は、筒部７２と嵌り合った状態のオーバーフロー管１００の上端部１００ａ付近を示す拡大斜視図である。また、図６は、同様に、筒部７２と嵌り合った状態のオーバーフロー管１００の上端部１００ａ付近を示す拡大側面図である。
【００６０】
図５および図６に示すように、筒部７２は、オーバーフロー管１００の上端部１００ａを露出させるように形成される。具体的には、図６に示すように、筒部７２は、オーバーフロー管１００の上端部１００ａを所定高さＨ１分、露出させるように形成される。なお、所定高さＨ１は任意の値に変更することができる。
【００６１】
これにより、オーバーフロー管１００の排水機能を低下させることを抑制することができる。すなわち、タンク１１における満水水位（上限水位）は、オーバーフロー管１００の上端部１００ａの高さによって規定される。筒部７２は、かかる上端部１００ａを露出させるように形成されることから、筒部７２がオーバーフロー管１００への洗浄水の流入を妨げることはなく、よってオーバーフロー管１００の排水機能を低下させることを抑制することができる。
【００６２】
＜３．３．凸部＞
次に、凸部７３について図７および図８を参照して説明する。図７は、図２のVII−VII線断面図である。また、図８は、図７のVIII−VIII線断面図であり、オーバーフロー管１００の上端部１００ａ付近を示している。
【００６３】
図７および図８に示すように、凸部７３は、筒部７２の内周縁部７２ａに形成される。例えば、凸部７３は、図７に示すように、筒部７２の周方向に沿って複数個（ここでは４個）形成される。また、凸部７３は、筒部７２の周方向において所定間隔（ここでは９０度間隔）となるように形成される。
【００６４】
なお、上記した凸部７３の個数は、あくまでも例示であって限定されるものではなく、例えば３個以下、あるいは５個以上であってもよい。また、上記した所定間隔は適宜に変更可能であり、また、凸部７３は任意の間隔で形成されてもよい。
【００６５】
また、オーバーフロー管１００の外周縁部１００ｂには、凸部７３に嵌合される凹部１０３が形成される。また、図８に示すように、上記した凹部１０３および凸部７３はともに、上下方向（Ｚ軸方向）に沿って延在するように形成される。なお、凹部１０３は、オーバーフロー管１００の上端部１００ａから下方に向けて延在するように形成される。
【００６６】
このように、本実施形態にあっては、筒部７２の内周縁部７２ａに凸部７３が形成される一方、オーバーフロー管１００の外周縁部１００ｂに凹部１０３が形成されることから、筒部７２をオーバーフロー管１００に対してより回転しにくくすることができる。これにより、例えば、駆動ユニット６０が排水弁装置４０に対して所期の位置から回転して向きが変わってしまうことによる、排水能力の低下をより一層抑制することができる。
【００６７】
上記したように、凹部１０３および凸部７３は上下方向に沿って延在するように形成されるため、凹部１０３と凸部７３との当接面積を増加させることが可能となる。これにより、例えば、筒部７２がオーバーフロー管１００に対して回転することをより一層抑制することができる。
【００６８】
なお、上記では、筒部７２に凸部７３、オーバーフロー管１００に凹部１０３が形成されるようにしたが、これに限定されるものではない。すなわち、例えば、図示は省略するが、筒部７２の内周縁部７２ａに凹部、オーバーフロー管１００の外周縁部１００ｂに凸部が形成されるようにしてもよい。
【００６９】
このように、本実施形態においては、筒部７２の内周縁部７２ａ（周縁部の一例）およびオーバーフロー管１００の外周縁部１００ｂ（周縁部の一例）うちの一方には、凸部が形成され、筒部７２の内周縁部７２ａおよびオーバーフロー管１００の外周縁部１００ｂうちの他方には、凸部に嵌合される凹部が形成される。
【００７０】
＜３．４．係止部＞
次に、係止部７４について、図５および図６を参照して説明する。図５および図６に示すように、係止部７４は、オーバーフロー管１００の上端部１００ａに係止する部位である。例えば、係止部７４は、筒部７２の上方に形成される。
【００７１】
これにより、本実施形態にあっては、駆動ユニット６０が下方へ脱落することを防止することができる。すなわち、例えば、固定部７０をオーバーフロー管１００に取り付ける際、筒部７２や係止部７４がオーバーフロー管１００へ向けて下方へ移動させられる。そして、係止部７４がオーバーフロー管１００の上端部１００ａに係止すると、筒部７２などを含む固定部７０は、下方への移動が規制される。このように、係止部７４は、固定部７０のストッパとして機能し、これにより、固定部７０によって固定される駆動ユニット６０が下方へ脱落することを防止することができる。
【００７２】
また、図５に示すように、係止部７４は、オーバーフロー管１００の上端部１００ａに係止した状態のとき、オーバーフロー管１００の開口部１０１を覆わないように形成される。これにより、係止部７４がオーバーフロー管１００への洗浄水の流入を妨げることはなく、よってオーバーフロー管１００の排水機能を低下させることもない。
【００７３】
＜３．５．補給部＞
次に、補給部７５について図５および図６を参照して説明する。図５および図６に示すように、補給部７５は、オーバーフロー管１００の上方に位置される。また、補給部７５は、接続口７５ａを備え、接続口７５ａには給水ホース３２が接続される。なお、図示は省略するが、補給部７５の下面側には吐水口が開口され、かかる吐水口と接続口７５ａとは連通するように形成される。これにより、補給部７５は、給水装置３０（図２参照）から供給される洗浄水をオーバーフロー管１００に対して供給し、便器２のボウル部３へ洗浄水を補給することができる。
【００７４】
＜３．６．リブ部＞
次に、リブ部７６について図４を参照して説明する。図４に示すように、リブ部７６は、筒部７２と本体部７１（詳しくは本体部７１の底面部７１ａ）とを連結する部材であり、例えば本体部７１の筒部７２による支持を補強する部材である。
【００７５】
これにより、例えば、比較的重い駆動ユニット６０が本体部７１に固定される場合であっても、本体部７１をリブ部７６によって支持することが可能となり、よって例えば固定部７０が傾斜したり、変形したりすることを抑制することができる。
【００７６】
ここで、固定部７０によって固定された駆動ユニット６０が、タンク１１内において配置される位置について、図３を参照して説明する。図３に示すように、固定部７０は、操作部６２の一部が排水弁装置４０の上方に位置するように固定する。
【００７７】
詳しくは、固定部７０は、操作部６２の一部が排水弁装置４０を上下方向に投影した投影面Ｓ内に位置するように、駆動ユニット６０を固定する。なお、図３では、理解の便宜のため、投影面Ｓを排水弁装置４０の外形より小さい形の二点鎖線で示したが、実際の投影面Ｓは、排水弁装置４０の外形と重なる。
【００７８】
このように、操作部６２の一部が排水弁装置４０の投影面Ｓ内に位置するため、操作部６２を排水弁装置４０の上方に配置することできる。従って、例えば、操作部６２と排水弁装置４０とを接続するワイヤ４２の長さを短くすることが可能となり、よって操作部６２の排水弁装置４０に対する操作性を向上させることができる。
【００７９】
なお、上記では、操作部６２の一部が排水弁装置４０の投影面Ｓ内に位置するようにしたが、これに限定されるものではなく、操作部６２の全部が排水弁装置４０の投影面Ｓ内に位置するようにしてもよい。すなわち、固定部７０は、操作部６２の少なくとも一部が排水弁装置４０の投影面Ｓ内に位置するように、駆動ユニット６０を固定すればよい。
【００８０】
上述してきたように、実施形態に係る洗浄水タンク装置１０は、タンク１１と、排水弁装置４０と、オーバーフロー管１００と、駆動ユニット６０と、固定部７０とを備える。タンク１１は、洗浄水を貯留する。排水弁装置４０は、タンク１１の排水口１５に設けられる排水弁４１を開閉する。オーバーフロー管１００は、タンク１１内においては排水弁装置４０の側方に設けられるとともに、上下方向に沿って延設されて満水水位を超えた洗浄水を上端側に形成された開口部１０１へ溢水させて便器２へ排出する。駆動ユニット６０は、排水弁装置４０を駆動する。固定部７０は、駆動ユニット６０を、オーバーフロー管１００の開口部１０１より上方に位置するようにオーバーフロー管１００に固定する。
【００８１】
また、固定部７０は、本体部７１と、筒部７２とを備える。本体部７１は、駆動ユニット６０が取り付けられる。筒部７２は、本体部７１を支持するとともに、筒状に形成されてオーバーフロー管１００に嵌り合う。これにより、駆動ユニット６０の大型化を招くことなく、駆動ユニット６０の被水を抑制することができる。
【００８２】
＜４．変形例＞
次に、変形例について説明する。なお、以下の説明では、既に説明した部分と同様の部分については、既に説明した部分と同一の符号を付し、重複する説明を省略する。
【００８３】
上記した実施形態において、筒部７２の凸部７３と、オーバーフロー管１００の凹部１０３とは、対となるように形成される。すなわち、一つの凸部７３に対して一つの凹部１０３が形成されるが、これに限定されるものではない。
【００８４】
図９は、変形例に係る筒部７２とオーバーフロー管１００とを示す断面図である。図９に示すように、変形例において、凸部７３ａ〜７３ｄは、筒部７２の内周縁部７２ａに形成される。そして、凸部７３ａ〜７３ｄのそれぞれに対応する凹部１０３ａ〜１０３ｄが複数個（図９に示す例では３個）、オーバーフロー管１００の外周縁部１００ｂに形成される。なお、図９において、凹部１０３ａは凸部７３ａに対応し、凹部１０３ｂは凸部７３ｂに、凹部１０３ｃは凸部７３ｃに、凹部１０３ｄは凸部７３ｄに対応している。
【００８５】
このように、変形例にあっては、一つの凸部（例えば７３ａ）に対応する凹部（例えば凹部１０３ａ）が複数形成される。
【００８６】
従って、凸部７３ａ〜７３ｄが形成される筒部７２にあっては、オーバーフロー管１００に取り付けられる際、嵌合させる凹部１０３ａ〜１０３ｄを変えることで、筒部７２の向きを変えることが可能となる。
【００８７】
これにより、例えば、筒部７２を含む固定部７０によって固定される駆動ユニット６０の向きを、タンク１１の仕様やタンク１１内の他部品との位置関係などに応じて、適宜に変更することが可能となり、洗浄水タンク装置１０の設計自由度を向上させることができる。
【００８８】
なお、上記した実施形態および変形例では、筒部７２とオーバーフロー管１００とが嵌り合う際、筒部７２がオーバーフロー管１００に対して外周側に位置されるようにしたが、これに限られず、内周側に位置されるようにしてもよい。
【００８９】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００９０】
１０  洗浄水タンク装置
１１  タンク
１５  排水口
４０  排水弁装置
４１  排水弁
６０  駆動ユニット
６２  操作部
７０  固定部
７１  本体部
７２  筒部
７３  凸部
７４  係止部
７６  リブ部
１００  オーバーフロー管
１０３  凹部
【図１】
2019218760.tif 000003
【図２】
2019218760.tif 000004
【図３】
2019218760.tif 000005
【図４】
2019218760.tif 000006
【図５】
2019218760.tif 000007
【図６】
2019218760.tif 000008
【図７】
2019218760.tif 000009
【図８】
2019218760.tif 000010
【図９】
2019218760.tif 000011